(57)【要約】【課題】治具等の煩雑な部材を必要とすることなく、円滑な動作によってアンダーカットを有する成形品を成形する。【解決手段】固定側型板４の固定側入れ子３と、可動側型板８の側の可動側入れ子１０および複数のスライドコア７によって成形品１のキャビティを構成する射出成形金型Ｍ１において、個々のスライドコア７に、アンギュラピン１１が挿通されるアンギュラピンガイド孔２２を設け、スライドコア用エジェクタピン１７による型開閉方向への押し出し動作によって、個々のスライドコア７に成形品１からアンギュラピン１１に沿って斜め方向に遠ざかる変位を与えることで成形品１のアンダーカット１ａにおけるスライドコア７の離型動作を実現した。【選択図】  図１
2010110916.tif 000002
【特許請求の範囲】
【請求項１】
アンダーカットを有する成形品を成形するキャビティを備えた射出成形金型であって、
前記キャビティの一部を構成する固定金型と、
前記キャビティの一部を構成し、前記固定金型に対して型開き方向に移動可能な可動金型と、
前記可動金型に保持され、前記キャビティの前記成形品の前記アンダーカットに対応した部位を構成するスライドコアと、
前記成形品の離型動作に連動して前記スライドコアを前記型開き方向と交差する方向に移動させるスライドコア移動機構と、
を含むことを特徴とする射出成形金型。
【請求項２】
請求項１記載の射出成形金型において、
前記スライドコア移動機構は、前記成形品の前記離型動作を行うエジェクタプレートに固定された、前記スライドコアを前記型開き方向に押し出すスライドコア押し出しピンと、前記型開き方向に対して傾斜して配置され、前記スライドコアに設けられた第１ガイド孔に挿通されるアンギュラピンと、を含むことを特徴とする射出成形金型。
【請求項３】
請求項２記載の射出成形金型において、
個々の前記スライドコアに対して複数の平行な前記アンギュラピンが挿通され、前記スライドコアは前記成形品の前記離型動作に同期して前記アンギュラピンの軸方向に沿って前記成形品から離間する方向に移動することを特徴とする射出成形金型。
【請求項４】
請求項２記載の射出成形金型において、
前記スライドコアに形成された前記第１ガイド孔は、前記アンギュラピンの軸方向と前記型開き方向とがなす平面内における径の方が、前記平面に直交する方向の径よりも大きい長円形を呈し、
前記スライドコア押し出しピンによって押圧される前記スライドコアは、長円形の前記第１ガイド孔に対する前記アンギュラピンの相対遊動代の距離だけ、前記離型動作の初期に前記型開き方向に変位した後、前記アンギュラピンの軸方向に沿って、前記成形品から離間することを特徴とする射出成形金型。
【請求項５】
請求項４記載の射出成形金型において、
前記スライドコア押し出しピンは、前記スライドコアの端面に当接する筒状のスリーブピンと、前記スリーブピンの内部に同軸に配置され、前記スライドコアに前記型開き方向に穿設された第２ガイド孔に前記相対遊動代の距離だけ先端部が挿通されるスリーブセンターピンとからなることを特徴とする射出成形金型。
【請求項６】
請求項２記載の射出成形金型において、
前記可動型には、前記アンギュラピンを異なる角度で保持する複数のアンギュラピンリテーナが交換可能に設けられていることを特徴とする射出成形金型。
【請求項７】
請求項１から請求項６のいずれか１項に記載の射出成形金型において、
型締め時に、前記スライドコアは、前記固定金型と、前記型開き方向と交差する方向に傾斜した斜面で接触していることを特徴とする射出成形金型。
【発明の詳細な説明】
【技術分野】
【０００１】
本発明は、射出成形技術に関し、たとえば、アンダーカットを有する成形品の成形等に適用して有効な技術に関する。
【背景技術】
【０００２】
たとえば、複雑な形状の製品を量産する技術として、射出成形技術が広く用いられている。ところで、成形品の外形において型開き方向に交差する方向の凹凸形状は、アンダーカットと呼ばれ、通常の固定型および可動型のみでキャビティを構成した場合、このアンダーカット部分が型開きや離型動作の障害となる。
【０００３】
そこで、従来では、アンダーカットを含む成形品の成形には、特許文献１のように、アンダーカットに対応するキャビティ部分を構成するスライドコアを固定型および可動型とは独立に可動に設けた金型構造を採用し、離型時にスライドコアを型開き方向に直交する方向に退避させることで、アンダーカットを持つ成形品の円滑な離型を実現しようとしている。
【０００４】
このような、アンダーカットに対応した金型構造の場合、スライドコアは、可動型の側に配置され、このスライドコアにはフランジが設けられており、ガイドレールによってフランジが押さえられ、型開き方向に直交する方向にガイドされることによって型開き方向には動かないようになっている。
【０００５】
スライドコアは固定型に設けられたアンギュラピンに当接することにより成形ショットの度に、型開き方向に直交する方向に動かされている。また、アンギュラピンを使用しないで油圧でスライドコアを動作させることも可能であるが、やはり、可動側型板から離れないようにするためスライドコアのフランジはガイドレールで押さえられている。
【０００６】
スライドコアが円滑に作動するためには、可動側型板のスライドコアのフランジとガイドレールとの摺動面には隙間が必要である。ところが、この隙間があるため摺動面に対してスライドコアが傾いて平行に動かなくなる、いわゆるカジリが発生し、スライドコアが摺動不能になる懸念がある。
【０００７】
また、成形中にスライドコアの温度が上昇し、フランジ部が熱膨張してレール側に密着し、摺動のための隙間が無くなる懸念もある。
以上のように、スライドコアをレールとフランジで型開き方向に直交する方向に変位させる場合には、スライドコアが円滑に摺動しなくなるため金型が正常に作動しなくなる、という技術的課題がある。
【０００８】
このため、スライドコアやガイドレール等の可動機構を使用しない成形方法として、たとえば特許文献２のように、その内部にキャビティ全体を構成する分割可能な置き中子を外型内に配置して成形を行うこともできるが、置き中子を外型から押し出した後、成形品から置き中子を分解して外すときに、治具を使用して一定方向に分解しないとアンダーカットに対する抜き方向が不安定になり成形品に変形を与えてしまう、という技術的課題がある。
【特許文献１】特開２００７−１４４７５５号公報
【特許文献２】特開平１１−２９１３０３号公報
【発明の開示】
【発明が解決しようとする課題】
【０００９】
本発明の目的は、治具等の煩雑な部材を必要とすることなく、円滑な動作によってアンダーカットを有する成形品を成形することが可能な射出成形技術を提供することにある。
【課題を解決するための手段】
【００１０】
本発明は、アンダーカットを有する成形品を成形するキャビティを備えた射出成形金型であって、
前記キャビティの一部を構成する固定金型と、
前記キャビティの一部を構成し、前記固定金型に対して型開き方向に移動可能な可動金型と、
前記可動金型に保持され、前記キャビティの前記成形品の前記アンダーカットに対応した部位を構成するスライドコアと、
前記成形品の離型動作に連動して前記スライドコアを前記型開き方向と交差する方向に移動させるスライドコア移動機構と、
を含む射出成形金型を提供する。
【発明の効果】
【００１１】
本発明によれば、治具等の煩雑な部材を必要とすることなく、円滑な動作によってアンダーカットを有する成形品を成形することが可能な射出成形技術を提供することができる。
【発明を実施するための最良の形態】
【００１２】
本実施の形態の第１態様では、型開き後、スライドコアを、固定側へ押し出す動作に同期して型開き方向に交差する方向に変位させることによってアンダーカットを有する成形品を成形する射出成形金型を開示する。
【００１３】
第２態様では、上述の第１態様において、スライドコアを、固定側へ押し出す動作に同期して型開き方向に交差する方向に変位させる機構として、個々のスライドコア毎に２本のアンギュラピンを設け、このアンギュラピンに倣って動くスライドコアを有する射出成形金型を開示する。
【００１４】
第３態様では、第２態様におけるスライドコア、アンギュラピンが可動側へ設けられている射出成形金型を開示する。
第４態様では、第２態様または第３態様において、アンギュラピンの径の幅でアンギュラピンの通す穴が長円になっているスライドコアを有し、スライドコアは、押し出しの初期には固定側方向に動き、その後、斜めに動かされる射出成形金型を開示する。
【００１５】
第５態様では、第４態様において、スライドコアを駆動する機構として、スライドコアの下面に当接するスリーブピンと、このスリーブピンの内部に当該スリーブピンと独立に設けられ、先端部が、スライドコアのスリーブセンターピンガイド孔に挿入されているスリーブセンターピンを設けた射出成形金型を開示する。この射出成形金型では、離型時に、スリーブピンによってスライドコアが変位する際に、スリーブセンターピンガイド孔に対するスリーブセンターピンの先端部の挿入長さだけ、スライドコアは型開き方向に変位し、その後、アンギュラピンに倣って傾斜方向に変位する。
【００１６】
第６態様では、第２態様に開示のスライドコアを有する射出成形金型において、型締め時、固定側に設けられた型開閉方向に傾斜したスライドコア接触斜面と、そのスライドコア接触斜面と接する固定金型接触斜面を有するスライドコアが斜面同士で接している構成を開示する。
（作用）
上述の第１態様では、アンダーカットを有する成形品は、樹脂射出、冷却、型開き後、アンダーカットを形成するスライドコアを可動型から斜め方向に離れるように固定側方向へ動かす離型動作を経て成形される。
【００１７】
上述の第２態様および第３態様では、第１態様において、型開き後、固定側方向に押し出す押し出し機構により押し出されたスライドコアが、個々のスライドコア毎に設けられた２本のアンギュラピンに倣って可動型から斜めに離れる方向に作動し成形品から離れてゆくことによってスライドコアの離型動作が行われる。
【００１８】
上述の第４態様では、個々のスライドコア毎に設けられた２つのアンギュラピンを通す穴がアンギュラピンの幅で長円になっていることにより、離型動作時にスライドコアが一定の距離だけ型開き方向に動き、その後、アンギュラピンに倣って斜め方向に移動することで、スライドコアが型開き方向における離型動作を補助する動作が可能になる。
【００１９】
上述の第５態様では、離型動作の初期におけるスライドコアの型開き方向の変位が、スリーブセンターピンガイド孔に対するスリーブセンターピンの先端部の挿入長さ分だけ確実に維持され、その後、アンギュラピンに倣って傾斜方向に変位するので、スライドコアによる型開き方向の離型動作の補助を確実に行わせることができる。
【００２０】
上述の第６態様では、型締め状態において、スライドコアは、固定金型に対して斜面で接することにより、型締め力の一部が、可動なスライドコアを、型開き方向に直交する方向に固定するように作用し、成形中における樹脂の充填圧に抗してスライドコアの位置を安定に維持することができる。
【００２１】
以下、図面を参照しながら、本発明の実施の形態について詳細に説明する。
［実施の形態１］
図１は、本発明の一実施の形態である射出成形金型の全体構成の一例を示す断面図であり、図２および図３は、本実施の形態の射出成形金型の型開きおよび離型動作を工程順に示す断面図である。
【００２２】
なお、図１は本実施の形態の射出成形金型Ｍ１の型締め状態を示しており、スプルー、ランナー、ゲート等のキャビティへの樹脂圧送経路の図示は省略している。
本実施の形態の射出成形金型Ｍ１は、一例として、３プレート構造の金型として説明する。この射出成形金型Ｍ１は成形品１を作成するため、以下の部品で構成されている。
【００２３】
すなわち、本実施の形態の射出成形金型Ｍ１は、固定取付板２、固定側入れ子３、固定側型板４、ロッキングブロック５、ランナストリッパープレート６、スライドコア７、可動側型板８、スペーサブロック９、可動側入れ子１０、スライドコアの各々毎に２本設けられたアンギュラピン１１、エジェクタロッド１２、エジェクタプレート上１３、エジェクタプレート下１４、スリーブセンタープレート１５、成形品用エジェクタピン１６、個々のスライドコア毎に２本設けられたスライドコア用エジェクタピン１７、可動取付板１８で構成されている。
【００２４】
固定側型板４の可動側型板８に対する対向面の中央部には成形品１を成形するための成形空間であるキャビティの上部を構成する略凹型の固定側入れ子３が凹面を下向きにして固定され、この固定側入れ子３を挟む対称位置に複数のロッキングブロック５が、スライドコア接触斜面５ａを内側に向けて配置されている。
【００２５】
可動側型板８の固定側型板４に対する対向面には、固定側型板４の側のロッキングブロック５等が入り込む深さの型板凹部８ａが形成され、この型板凹部８ａの中央には、キャ
ビティの下部を構成する凸型の可動側入れ子１０が配置されている。
【００２６】
この可動側入れ子１０の両側には、成形品１のアンダーカット１ａに対応したキャビティの側面部を構成する複数のスライドコア７（たとえば、キャビティを周方向に二分割した二つ割の構成）が、当該可動側入れ子１０を取り囲むように配置されている。
【００２７】
複数のスライドコア７のキャビティと反対側の背面側には、ロッキングブロック５のスライドコア接触斜面５ａに対応した傾斜角度を有する固定金型接触斜面７ａが形成されている。
【００２８】
そして、型締め時には、ロッキングブロック５のスライドコア接触斜面５ａとスライドコア７の固定金型接触斜面７ａの斜面接触部Ａにより、型締め方向の力が、型締め方向に直交する方向に個々のスライドコア７を押圧するスラストに変換され、複数のスライドコア７が互いに接近する方向に付勢されて、凸型の可動側入れ子１０の周囲の定位置（成形位置）に固定され、固定側入れ子３、可動側入れ子１０とともに成形品１を成形するためのキャビティを構成するようになっている。
【００２９】
可動側入れ子１０には、型締め（型開き）方向に貫通する複数の貫通孔が形成され、この貫通孔を通じて複数の成形品用エジェクタピン１６がキャビティに出入りする構造となっており、キャビティ内の成形品１を下側から突き上げる離型動作が可能になっている。
【００３０】
可動側型板８の型板凹部８ａにおいて、個々のスライドコア７の下面に臨む位置には、スライドコア用エジェクタピン１７が出入りする貫通孔が型締め（型開き）方向に形成され、この貫通孔を通じてスライドコア用エジェクタピン１７の上端部が個々のスライドコア７の下面に当接している。そして、このスライドコア用エジェクタピン１７を突出させることで、スライドコア７を型開き方向に押圧することが可能になっている。
【００３１】
成形品用エジェクタピン１６およびスライドコア用エジェクタピン１７は、下端部にフランジ状の頭部が設けられ、この頭部が共通のエジェクタプレート上１３およびエジェクタプレート下１４の間に挟持されることによって、型開き方向に同期して上下動されるようになっている。
【００３２】
成形品用エジェクタピン１６およびスライドコア用エジェクタピン１７の下端を支持するエジェクタプレート下１４の背面側には、可動取付板１８の中央部を貫通するエジェクタロッド１２が接続され、このエジェクタロッド１２の推力によりエジェクタプレート下１４を介して、成形品用エジェクタピン１６およびスライドコア用エジェクタピン１７の上下動を制御する構成となっている。
【００３３】
本実施の形態の射出成形金型Ｍ１の場合、可動側入れ子１０の周囲には、下端部が型板凹部８ａの底面に植設された複数のアンギュラピン１１が、可動側入れ子１０を中心として型開き方向に広がる傾斜角度を持つように配置されている。
【００３４】
個々のスライドコア７には、このアンギュラピン１１に嵌合するアンギュラピンガイド孔２２（第１ガイド孔）が設けられている。
本実施の形態の射出成形金型Ｍ１では、複数のスライドコア７は、たとえば左右の二つ割りでキャビティの側面（アンダーカット１ａの成形面）を構成し、個々のスライドコア７には、可動側入れ子１０を中心として対称な傾斜角度を持つ平行な２本のアンギュラピン１１が挿通されている。
【００３５】
そして、スライドコア用エジェクタピン１７によって押し出されて可動側型板８から離
昇する個々のスライドコア７は、２本のアンギュラピン１１に案内される平行移動により、キャビティ（成形品１）から遠ざかる斜め方向に移動する構成となっている。
【００３６】
このため、本実施の形態の射出成形金型Ｍ１では、スライドコア７を型開き方向に直交する方向にガイドするためのガイドレール等は全く不要な構造となっている。
以下、本実施の形態の射出成形金型Ｍ１の作用を説明する。
【００３７】
射出成形金型Ｍ１は成形時には図１の如く閉じられていて、固定側入れ子３、可動側入れ子１０および複数のスライドコア７によりキャビティで構成された状態となっている。
このとき、スライドコア７の固定金型接触斜面７ａは、型開閉方向に傾斜したスライドコア接触斜面５ａを有した固定側型板４のロッキングブロック５と斜面接触部Ａで接することで、可動側入れ子１０に接近する方向に付勢され、キャビティに対する樹脂射出時にスライドコア７が樹脂射出圧力によりキャビティの外方向に押される力を受け止めている。
【００３８】
そして、キャビティに図示しないスプルー、ランナー、ゲート等を通じて樹脂を圧送して充填することで成形品１を成形する樹脂射出成形の後に、固定側型板４から可動側型板８を離間させる型開きが行われ、この型開き直後には、図２のように、成形品１は可動側入れ子１０およびスライドコア７に取り囲まれた状態で可動側型板８の側に残っている。
【００３９】
上述の型開き完了後、図示しない成形機の押し出し装置によりエジェクタロッド１２を固定側方向に押し出す離型動作が行われると、図３の状態となる。
この離型動作では、エジェクタプレート上１３およびエジェクタプレート下１４にツバ部が固定された成形品用エジェクタピン１６、スライドコア用エジェクタピン１７を、エジェクタプレート下１４に取り付けられたエジェクタロッド１２により固定側方向に押し出すと、成形品用エジェクタピン１６およびスライドコア用エジェクタピン１７が可動側入れ子１０および型板凹部８ａから突出して、成形品１およびスライドコア７が固定側方向に動かされる。
【００４０】
このとき、本実施の形態の場合には、成形品１は型開き方向に沿って固定側方向に変位するが、アンギュラピン１１に嵌合するアンギュラピンガイド孔２２を持つ個々のスライドコア７は、スライドコア用エジェクタピン１７の型開き方向の押し出し変位に伴って２本のアンギュラピン１１に案内されて、成形品１から遠ざかる離型方向に、アンギュラピン１１の傾斜角度の方向に斜めに可動側型板８から離昇する。
【００４１】
このように、本実施の形態１の射出成形金型Ｍ１の構造を採ることにより、個々のスライドコア７毎に設けられた平行な２本のアンギュラピン１１に倣って動かされるスライドコア７は、個々のスライドコア毎に設けられた２つのアンギュラピンガイド孔２２と２本のアンギュラピン１１との摺動だけで、可動側型板８と摺動せず、カジリ等の動作不良を起こすことなく、成形品１のアンダーカット１ａに対する抜き方向も一定になるように作動し、成形品１から離型可能となり、成形品１に対してアンダーカットを形成する（すなわち、アンダーカット１ａの凹凸の分だけ、スライドコア７を型開閉方向に直交する方向に変位させる離型動作を実現する）ことができる。
【００４２】
すなわち、治具等の煩雑な部材を必要とすることなく、円滑な動作によってアンダーカットを有する成形品を成形することが可能となる。
なお、本明細書では、「スライドコア７がアンダーカットを形成する」とは、「成形品１のアンダーカット１ａの凹凸の分だけ、スライドコア７を型開閉方向に交差する方向に変位させる離型動作を実現する」ことを意味する。
［実施の形態２］
図４は、本発明の他の実施の形態である射出成形金型の型締め状態を示す断面図、図５は、本実施の形態の射出成形金型を構成するスライドコアのアンギュラピンガイド孔の形状を示す部分断面図である。
【００４３】
また、図６は、本実施の形態の射出成形金型の型開き状態を示す断面図、図７および図８は、本実施の形態の射出成形金型の離型動作状態を工程順に示す断面図、図９は、本実施の形態の射出成形金型の離型動作状態を工程順に示す部分断面図である。
【００４４】
なお、この実施の形態２の射出成形金型Ｍ２において、上述の射出成形金型Ｍ１と共通する部分については、共通の符号を付して、重複した説明は割愛する。
上述の図１に例示した実施の形態１の射出成形金型Ｍ１の金型構造においては、成形される成形品１は、成形機の押し出し装置により押し出すとき、押し出しと同時にアンダーカットを形成するようにスライドコアが斜め方向に変位していた。
【００４５】
これに対して、本実施の形態２の射出成形金型Ｍ２では、スライドコア７が、押し出し（離型動作）の初期に型開閉方向に変位し、その後、斜め方向に成形品１から遠ざかるようなアンダーカット動作を実現する例を示す。
【００４６】
このため、本実施の形態２の射出成形金型Ｍ２では、まず、図５に例示されるように、上述のアンギュラピンガイド孔２２の代わりに、長孔断面を有するアンギュラピンガイド長孔２２Ａ（第１ガイド孔）を個々のスライドコア７に設ける。
【００４７】
図５は、アンギュラピン１１の軸方向に垂直な断面を示している。アンギュラピンガイド長孔２２Ａの長軸は、型開閉方向と、傾斜したアンギュラピン１１の軸方向とを含む平面に平行になるように、当該アンギュラピンガイド長孔２２Ａをスライドコア７に設けている。
【００４８】
アンギュラピンガイド長孔２２Ａは、アンギュラピン１１の径の幅の長円である。このとき、アンギュラピン１１とアンギュラピンガイド長孔２２Ａの長軸方向の隙間ΔＬは、スライドコア７の離型の初期における型開閉方向の変位量Ｄ（後述）に設定する場合、アンギュラピン１１の型開閉方向に対する傾斜角度αのとき、ΔＬ＝Ｄ・ｓｉｎα、のように決定される。
【００４９】
また、アンギュラピンガイド長孔２２Ａの短軸方向の幅は、スライドコア７の変位を妨げない程度に、アンギュラピン１１の外径寸法よりも僅かに大きく設定されている。
これにより、スライドコア７は、型開閉方向には変位量Ｄに相当する遊動変位が可能であるが、短軸方向（図４の紙面に垂直な方向）には遊動しないように、２本のアンギュラピン１１で案内される。
【００５０】
なお、この変位量Ｄが相対遊動代の距離である。変位量Ｄは、成形品１の底面を可動側入れ子１０から垂直方向に離型させるために必要かつ十分な距離である。
また、成形品１の可動側からの離型動作をさせるため、成形品１を押し出す成形品用エジェクタピン１６はそのままとして、スライドコア７は後述のスリーブ押し出し機構により押し出しするようにする。
【００５１】
本実施の形態２の射出成形金型Ｍ２の型構造を採ることにより、成形品１の側面に対してアンダーカット１ａで嵌合して型開き方向に変位量Ｄだけ変位するスライドコア７が、成形品用エジェクタピン１６による成形品１の可動側入れ子１０からの離型動作を補助する役目を果たすので、スライドコア７の近傍には成形品１を可動側入れ子１０から離型させるためのエジェクタピンを設ける必要がなくなる、という利点がある。
【００５２】
スリーブ押し出し機構は、押し出し対象の個々のスライドコア７毎に設けられ、当該スライドコア７の底面に当接する２本のスリーブピン１９と、このスリーブピン１９の内部に設けられたスリーブセンターピン２０を備えている。
【００５３】
外側のスリーブピン１９は、下端側が、上述のスライドコア用エジェクタピン１７と同様にツバ部が、成形品用エジェクタピン１６と共通のエジェクタプレート上１３およびエジェクタプレート下１４に固定され、エジェクタロッド１２の推力によって成形品用エジェクタピン１６と同期して動作する。
【００５４】
一方、スリーブピン１９の内部に設けられたスリーブセンターピン２０の下端は、ツバ部をスリーブセンタープレート１５と可動取付板１８の間に挟持されることによって可動取付板１８に固定されている。
【００５５】
また、スリーブセンターピン２０は、型締め状態において、上端部がスライドコア７の下面に当接するスリーブピン１９の先端から上述の変位量Ｄに相当する長さだけ突出し、スライドコア７の側に設けられたスリーブセンターピンガイド孔２３（第２ガイド孔）に挿入される長さに設定されている。
【００５６】
従って、スリーブピン１９（成形品用エジェクタピン１６）の離型動作による型開き方向の変位に際して、スリーブセンターピン２０は、スリーブピン１９の内部に相対的に引き込まれる状態となる。
【００５７】
なお、本実施の形態２では、個々のスライドコア７毎に２本のスリーブピン１９およびスリーブセンターピン２０を配置しているが、スリーブピン１９、スリーブセンターピン２０はスライドコア７の大きさにより３本以上配置しても良い。
【００５８】
以下、図６、図７、図８、図９等を参照して、本実施の形態２の射出成形金型Ｍ２の作用を説明する。
まず、図４の型締め状態では、固定側入れ子３、可動側入れ子１０および複数のスライドコア７が相互に密着して成形品１を成形するためのキャビティが構成され、このとき、スライドコア７のスリーブセンターピンガイド孔２３には、スリーブセンターピン２０が、変位量Ｄだけ挿入された状態となっている。
【００５９】
また、図５のように、アンギュラピン１１の上面側であるピン外径上面Ｂ１（ピン外径下面Ｂ２の反対側）がアンギュラピンガイド長孔２２Ａの長軸方向の上端面であるガイド孔内径上面Ｃ１に密着した状態となっている。
【００６０】
この状態から、成形品１の成形後に、まず、図６に例示されるように型開きが行われる。
さらに、図７のように離型動作が開始される。本実施の形態２の場合、アンギュラピンガイド長孔２２Ａの隙間ΔＬによって、スライドコア７は、変位量Ｄだけ型開閉方向に遊動可能であるため、離型の初期には、スライドコア７は型開き方向に変位量Ｄだけ垂直に変位し、成形品１の底面の可動側入れ子１０からの離型が行われる。
【００６１】
この図７は、成形品１およびスライドコア７を、固定側方向に、成形品用エジェクタピン１６およびスリーブセンターピン２０の先端がスライドコア７のスリーブセンターピンガイド孔２３に挿入された変位量Ｄだけ押し出した状態を示している。この状態では、スリーブセンターピン２０の先端部は、スライドコア７のスリーブセンターピンガイド孔２３から丁度抜去された位置にあり、スライドコア７は、斜め方向に動き得る状態にある。
【００６２】
さらに、成形機の押し出し装置により、共通のエジェクタプレート上１３およびエジェクタプレート下１４に固定された成形品用エジェクタピン１６およびスリーブピン１９を固定側方向に押し出すと、図８のように、スライドコア７は、アンギュラピン１１に沿って成形品１から遠ざかる斜め方向に変位し、アンダーカット１ａの部分の離型も行われる。
【００６３】
図９は、上述の図７および図８に例示された離型動作時におけるアンギュラピン１１とアンギュラピンガイド長孔２２Ａの関係を動作順に示している。
図９の左上に例示される離型動作前には、アンギュラピン１１のピン外径上面Ｂ１は、図５のようにアンギュラピンガイド長孔２２Ａのガイド孔内径上面Ｃ１の側に密着し、反対側のピン外径下面Ｂ２とアンギュラピンガイド孔２２のガイド孔内径下面Ｃ２の間には隙間ΔＬが形成されている。
【００６４】
そして、図９の中央に例示される離型の初期には、スリーブセンターピン２０およびスリーブセンターピンガイド孔２３による型開き方向の案内によって、スライドコア７は、変位量Ｄだけ垂直に移動し、アンギュラピン１１のピン外径下面Ｂ２と、アンギュラピンガイド長孔２２Ａのガイド孔内径下面Ｃ２が密着する。
【００６５】
さらに、スライドコア７が上昇すると、図９の右下に例示されるように、スライドコア７は、アンギュラピン１１のピン外径下面Ｂ２に倣って、矢印の傾斜変位方向Ｅのように成形品１のアンダーカット１ａから離間するように斜め方向に変位し、離型動作が完了する。
【００６６】
よって本実施の形態２の射出成形金型Ｍ２のような金型構造を採ることにより、スライドコア７は固定側方向に変位量Ｄだけ変位して成形品１を可動側入れ子１０から離型させ、その後、スライドコア７は個々のスライドコア７毎に設けられた２本のアンギュラピン１１に倣って成形品１から離間するように斜め方向に変位するので、スライドコア７の近傍に型開き方向の離型のための成形品用エジェクタピンを配置する必要がなくなる。
【００６７】
また、スライドコア７による変位量Ｄの移動期間は、スリーブセンターピン２０とスリーブセンターピンガイド孔２３との嵌合によって、スライドコア７の垂直方向（型開閉方向）の変位が安定に維持されるので、スライドコア７による変位量Ｄの間の離型動作中に、スライドコア７が成形品１から離脱して離型動作が不安定になる等の不具合も確実に防止される。
【００６８】
また、上述の実施の形態１と同様に、スライドコア７は個々のスライドコア７毎に設けられた２つのアンギュラピンガイド長孔２２Ａと２本のアンギュラピン１１の摺動のみで変位するため、可動側型板８と摺動せず、カジリを発生せず、２本のアンギュラピン１１に倣うことによって抜き方向が一定になり成形品１より離れてゆくことによりアンダーカットを形成することができる。
［実施の形態３］
図１０は、本発明のさらに他の実施の形態である射出成形金型の型締め状態の構成形を示す断面図である。図１１および図１２は、本発明のさらに他の実施の形態である射出成形金型の離型動作を示す部分断面図である。
【００６９】
この実施の形態３では、アンギュラピン１１の傾斜角度を変更可能にした例を説明する。
上述の実施の形態２に例示したように、スライドコア７が押し出しにより、アンギュラピン１１に沿って斜めに変位することでアンダーカット１ａに対応した離型動作を実現し
ているが、成形品１の品種毎にアンダーカット１ａの形状は違ってくる。
【００７０】
そこで、本実施の形態３の射出成形金型Ｍ３では、スライドコア７が２本のアンギュラピン１１に倣って変位する動作において、アンギュラピン１１の傾斜角度を変更可能とすることによりスライドコア７がアンダーカットを形成する速さ（アンダーカット１ａからの離型速度）を変えられる構造とした。
【００７１】
本実施の形態３の射出成形金型Ｍ３では、図１０に例示されるように、アンギュラピン１１を固定する部分の可動側型板８にポケット８ｂを開け、そのポケット８ｂに入る大きさでアンギュラピン１１を通すピン穴２１ａを加工したアンギュラピンリテーナ２１を作成し、可動側型板８のポケット８ｂに固定する構造とした。
【００７２】
すなわち、本実施の形態３の射出成形金型Ｍ３では、アンギュラピン１１を通すピン穴２１ａの角度が異なるアンギュラピンリテーナ２１に付け替えることで、アンギュラピン１１の角度を変えられる構成にした。
【００７３】
アンギュラピンリテーナ２１のピン穴２１ａの角度（すなわち、アンギュラピン１１の傾斜角度）を変えたときのスライドコア７の動きを図１１、図１２に示す。
図１１のアンギュラピン１１の角度α１と、図１２のアンギュラピンの角度α２の関係はα１＜α２となっており、固定側へ押し出したときの、図１２の角度α２の場合における成形品１とスライドコア７の間隔Ｌ２が、図１１の角度α１の場合の間隔Ｌ１に比べて大きくなる。また、角度αの値が大きくなると成形品１からスライドコア７が離れる速度が速くなる。
【００７４】
よって本実施の形態３の射出成形金型Ｍ３の型構造を採ることにより、成形品１のアンダーカット１ａの形状によらず、アンダーカット１ａの形状に応じた最適なアンダーカットを形成することができる。
【００７５】
以上説明したしように、本発明の上述の各実施の形態の各態様によれば、以下の効果を奏する。
第１態様によれば、アンダーカットを有する成形品をスライドコアで形成するとき、スライドコアは可動型へ押さえられていないので、型開き後可動型から離れ、且つ成形品に対して成形品を離型させる押し出し機構により押し出されることによって形成される。
【００７６】
よってスライドコアは可動型板と摺動しないのでカジリを発生させることがなく金型トラブルを防ぐことができる。
第２態様によれば、アンダーカットを有する成形品をスライドコアで形成するとき、スライドコアは成形品と共に型開き後固定側方向へ押し出す押し出し機構により押し出されるが、スライドコアは個々のスライドコア毎に設けられた２本のアンギュラピンに倣って動かされる。
【００７７】
よってスライドコアは２本のアンギュラピンと摺動するだけですみ、可動型板と摺動しないのでカジリを発生させることがなく金型トラブルを防止し、２本のアンギュラピンに倣って動かされることにより抜き方向が一定になり成形品より離れてゆくことによりアンダーカットを形成できる。
【００７８】
第３態様によれば、アンダーカットを有する成形品をスライドコアで形成するとき、型開き後固定側方向へ押し出す押し出し機構により押し出されたスライドコアを個々のスライドコア毎に設けられた２本のアンギュラピンに倣って動かすようにするため、スライドコアと２本のアンギュラピンは可動側に設けられている。
【００７９】
よってスライドコアが２本のアンギュラピンと摺動するだけで動かされるようになり可動型板と摺動しないのでカジリを発生させることがなく金型トラブルを防止し、２本のアンギュラピンに倣って動かされることにより抜き方向が一定になり成形品より離れてゆくことによりアンダーカットを形成できる。
【００８０】
第４態様によれば、アンダーカットを有する成形品を、スライドコアで形成するときスライドコアは、スライドコアをガイドする個々のスライドコア毎に設けられた２本のスリーブセンターピンとスライドコアを押し出す、個々のスライドコア毎に設けられた２本のスリーブで構成されたスリーブ方式の押し出し装置で固定側方向へ押し出される。そのスライドコアには個々のスライドコア毎に設けられた２本のアンギュラピンをガイドするための穴が長円で設けられていて押し出しによりスライドコアが固定側の方向に動かされるのを妨げないようにしている。
【００８１】
よってスライドコアが固定側方向に動かされるようになり可動型板と摺動しないのでカジリを発生させることがなく金型トラブルを防止することができる。
第５態様によれば、アンダーカットを有する成形品をスライドコアで形成するとき、スライドコアは第４態様記載のスリーブ方式の押し出し装置のスリーブピンで固定側へ動かされる。その作動においてスライドコアはスライドコアをガイドするようにスリーブセンターピンガイド孔に挿入されたスリーブセンターピンの量だけ固定側へ向かって動き、スリーブセンターピンを外れるとアンギュラピンに倣って斜め方向に動かされる。
【００８２】
よってスライドコアが固定側に向かって動くときアンダーカット有する成形品を可動側から離型させ、個々のスライドコア毎に設けられた２本のアンギュラピンに倣って動かされることにより抜き方向が一定になり成形品から離れアンダーカットを形成することができる。
【００８３】
第６態様によれば、アンダーカットを有する成形品をスライドコアで形成するとき、スライドコアは型開閉方向に傾斜したスライドコア接触斜面を有した固定型と、そのスライドコア接触斜面と接する固定金型接触斜面を有するスライドコアが斜面で接するように型締めされ樹脂射出が行われる。
【００８４】
よってスライドコアはキャビティに樹脂射出が行われたときに射出圧力により動かされず、第５態様記載の押し出し動作によりアンダーカットが形成され、品質のよい成形品を作製することができる。
【００８５】
なお、本発明は、上述の実施の形態に例示した構成に限らず、その趣旨を逸脱しない範囲で種々変更可能であることは言うまでもない。
たとえば、アンギュラピンの断面形状は円形に限らず、多角形、楕円形、等の非真円形状でもよい。
［付記１］
アンダーカットを有する成形品を作製する射出成形金型において、アンダーカットを形成するスライドコアを型開き後可動型から離れ、且つ成形品に対して成形品と離型させる押し出し機構を有することを特徴とする射出成形金型。
［付記２］
付記１記載のスライドコアを型開き後固定側方向へ押し出す押し出し機構は、スライドコアが個々のスライドコア毎に設けられた２本のアンギュラピンに倣って動かすことを特徴とする付記１記載の射出成形金型。
［付記３］
付記２記載のスライドコア、アンギュラピンは可動型に設けられていることを特徴とす
る付記２記載の射出成形金型。
［付記４］
付記１記載の型開き後固定側方向へ押し出す押し出し機構は、スリーブ方式の押し出し装置を有していることとスライドコアに個々のスライドコア毎に設けられた２本のアンギュラピンを通す穴がアンギュラピンの径の幅で長円になっていることを特徴とする付記１記載の射出成形金型。
［付記５］
付記１記載の型開き後固定側方向へ押し出す押し出し機構で押し出されるスライドコアは、押し出しのとき固定側方向に動き、その後斜めに動かされることを特徴とする付記１記載の射出成形金型。
［付記６］
付記２記載のスライドコアは、型締め時型開閉方向に傾斜したスライドコア接触斜面を有した固定型と、そのスライドコア接触斜面と接する固定金型接触斜面を有するスライドコアが斜面同士で接していることを特徴とする付記２記載の射出成形金型。
【図面の簡単な説明】
【００８６】
【図１】本発明の一実施の形態である射出成形金型の全体構成の一例を示す断面図である。
【図２】本発明の一実施の形態である射出成形金型の型開きおよび離型動作を工程順に示す断面図である。
【図３】本発明の一実施の形態である射出成形金型の型開きおよび離型動作を工程順に示す断面図である。
【図４】本発明の他の実施の形態である射出成形金型の型締め状態を示す断面図である。
【図５】本発明の他の実施の形態である射出成形金型を構成するスライドコアのアンギュラピンガイド孔の形状を示す部分断面図である。
【図６】本発明の他の実施の形態である射出成形金型の型開き状態を示す断面図である。
【図７】本発明の他の実施の形態である射出成形金型の離型動作状態を工程順に示す断面図である。
【図８】本発明の他の実施の形態である射出成形金型の離型動作状態を工程順に示す断面図である。
【図９】本発明の他の実施の形態である射出成形金型の離型動作状態を工程順に示す部分断面図である。
【図１０】本発明のさらに他の実施の形態である射出成形金型の型締め状態の構成形を示す断面図である。
【図１１】本発明のさらに他の実施の形態である射出成形金型の離型動作を示す部分断面図である。
【図１２】本発明のさらに他の実施の形態である射出成形金型の離型動作を示す部分断面図である。
【符号の説明】
【００８７】
１  成形品
１ａ  アンダーカット
２  固定取付板
３  固定側入れ子
４  固定側型板
５  ロッキングブロック
５ａ  スライドコア接触斜面
６  ランナストリッパープレート
７  スライドコア
７ａ  固定金型接触斜面
８  可動側型板
８ａ  型板凹部
８ｂ  ポケット
９  スペーサブロック
１０  可動側入れ子
１１  アンギュラピン
１２  エジェクタロッド
１３  エジェクタプレート上
１４  エジェクタプレート下
１５  スリーブセンタープレート
１６  成形品用エジェクタピン
１７  スライドコア用エジェクタピン
１８  可動取付板
１９  スリーブピン
２０  スリーブセンターピン
２１  アンギュラピンリテーナ
２１ａ  ピン穴
２２  アンギュラピンガイド孔
２２Ａ  アンギュラピンガイド長孔
２３  スリーブセンターピンガイド孔
Ａ  斜面接触部
Ｂ１  ピン外径上面
Ｂ２  ピン外径下面
Ｃ１  ガイド孔内径上面
Ｃ２  ガイド孔内径下面
Ｄ  変位量
Ｅ  傾斜変位方向
Ｍ１  射出成形金型
Ｍ２  射出成形金型
Ｍ３  射出成形金型
ΔＬ  アンギュラピン１１とアンギュラピンガイド長孔２２Ａの隙間
【図１】
2010110916.tif 000003
【図２】
2010110916.tif 000004
【図３】
2010110916.tif 000005
【図４】
2010110916.tif 000006
【図５】
2010110916.tif 000007
【図６】
2010110916.tif 000008
【図７】
2010110916.tif 000009
【図８】
2010110916.tif 000010
【図９】
2010110916.tif 000011
【図１０】
2010110916.tif 000012
【図１１】
2010110916.tif 000013
【図１２】
2010110916.tif 000014